【手続補正書】
【提出日】平成17年3月7日(2005.3.7)
【手続補正１】
【補正対象書類名】特許請求の範囲
【補正対象項目名】全文
【補正方法】変更
【補正の内容】
【特許請求の範囲】
【請求項１】
以下のポリペプチド：
（ｉ）配列番号：２に記載のアミノ酸配列を含むかまたは前記アミノ酸配列からなるポリペプチド；
（ｉｉ）核内ホルモンレセプターリガンド結合ドメイン活性を有するか、または（ｉ）のポリペプチドと共通の抗原決定基を有する、（ｉ）のフラグメントであるポリペプチド；または
（ｉｉｉ）（ｉ）または（ｉｉ）の機能的等価物であるポリペプチド。
【請求項２】
LBDG２ポリペプチドの核内ホルモンレセプターリガンド結合ドメイン領域を含む、請求項１の（ｉｉ）に記載のフラグメントであるポリペプチドであって、前記核内ホルモンレセプターリガンド結合ドメイン領域が配列番号：２に記載のアミノ酸配列の残基1104から1309を含むと定義され、前記フラグメントが“LBDモチーフ”残基PHE1174、VAL1177、ASP1181、ASN1182、LEU1185およびLEU1186、または等価な残基を保有し、さらに核内ホルモンレセプターリガンド結合ドメイン活性を保有する前記ポリペプチド。
【請求項３】
請求項１の（ｉｉｉ）に記載の機能的等価物であり、配列番号：２に記載のアミノ酸配列と相同であり、触媒性残基PHE1174、VAL1177、ASP1181、ASN1182、LEU1185およびLEU1186、または等価な残基を保有し、さらに核内ホルモンレセプターリガンド結合ドメインの活性を保有するポリペプチド。
【請求項４】
機能的等価物がLBDG２ポリペプチドの核内ホルモンレセプターリガンド結合ドメイン領域に相同である、請求項３に記載のポリペプチド。
【請求項５】
BLASTバージョン2.1.3でNCBI(the National Center for Biotechnology Information；http：//www.ncbi.nlm.nih.gov/）によって特定されたデフォルトパラメーター｛Blosum62マトリックス；ギャップ開放ペナルティー＝１１およびギャップ伸長ペナルティー＝１｝を用いて決定したとき、配列番号：２に記載のアミノ酸配列、または核内ホルモンレセプターリガンド結合ドメイン活性を保有するそのフラグメントと８０％を超える配列同一性、好ましくは８５％、９０％、９５％、９８％または９９％を超える配列同一性を有する、請求項１−４のいずれか1項に記載のフラグメントまたは機能的等価物。
【請求項６】
配列番号：２のいずれか一つによって与えられるアミノ酸配列を有するポリペプチド、または核内ホルモンレセプターリガンド結合ドメイン活性を保有するそのフラグメントと顕著な構造相同性を示す請求項１−５のいずれか1項に記載の機能的等価物。
【請求項７】
配列番号：２の配列に由来する７つもしくはそれより多い（例えば８、１０、１２、１４、１６、１８、２０またはそれより多い）アミノ酸残基からなる、請求項１の（ｉ）のポリペプチドと共通の抗原決定基を有する請求項１、２または５に記載のフラグメント。
【請求項８】
請求項１−７のいずれか１項に記載のポリペプチドをコードする精製核酸分子。
【請求項９】
配列番号：１に記載の核酸配列を有するか、または重複等価物もしくはそのフラグメントである請求項８に記載の精製核酸分子。
【請求項１０】
配列番号：１のヌクレオチド3351から3968を含むか、またはその重複等価物である請求項８または請求項９に記載の精製核酸分子のフラグメント。
【請求項１１】
高いストリンジェンシー条件下で請求項８−１０のいずれか１項に記載の核酸分子とハイブリダイズする精製核酸分子。
【請求項１２】
請求項８−１１のいずれか１項に記載の核酸分子を含むベクター。
【請求項１３】
請求項１２に記載のベクターで形質転換された宿主細胞。
【請求項１４】
請求項１−７のいずれか１項に記載のポリペプチドと特異的に結合し、さらに好ましくは前記ポリペプチドの核内ホルモンレセプターリガンド結合ドメイン活性を阻害するリガンド。
【請求項１５】
抗体である請求項１４に記載のリガンド。
【請求項１６】
請求項１−７のいずれか１項に記載のポリペプチドの発現レベルまたは活性レベルを増加または低下させる化合物。
【請求項１７】
請求項１−７のいずれか１項に記載のポリペプチドと結合し、前記ポリペプチドの生物学的作用のいずれをも誘発することがない請求項１６に記載の化合物。
【請求項１８】
天然または改変された、基質、リガンド、酵素、レセプターまたは構造的もしくは機能的摸倣体である請求項１６または１７に記載の化合物。
【請求項１９】
疾患の治療または診断で使用することを目的とする請求項１−７のいずれか1項に記載のポリペプチド、請求項８−１１のいずれか1項に記載の核酸分子、請求項１２に記載のベクター、請求項１４または１５に記載のリガンド、または請求項１６−１８のいずれか1項に記載の化合物。
【請求項２０】
核内ホルモンレセプターリガンド結合ドメインとしての請求項１−７のいずれか１項に記載のポリペプチドの使用。
【請求項２１】
核内ホルモンレセプターリガンド結合ドメイン活性を保有するタンパク質の発現を目的とする請求項８−１１のいずれか１項に記載の核酸分子の使用。
【請求項２２】
請求項１−７のいずれか１項に記載のポリペプチドを利用して細胞−細胞接着を行わせる方法。
【請求項２３】
請求項１−７のいずれか１項に記載のポリペプチド、請求項８−１１のいずれか１項に記載の核酸分子、請求項１２に記載のベクター、請求項１４または１５に記載のリガンド、または請求項１６−１８のいずれか１項に記載の化合物を含む医薬組成物。
【請求項２４】
請求項１−７のいずれか１項に記載のポリペプチドまたは請求項８−１１のいずれか１項に記載の核酸分子を含むワクチン組成物。
【請求項２５】
以下の疾患の治療用薬物の製造で使用される、請求項１−７のいずれか１項に記載のポリペプチド、請求項８−１１のいずれか１項に記載の核酸分子、請求項１２に記載のベクター、請求項１４または１５に記載のリガンド、請求項１６−１８のいずれか１項に記載の化合物、または請求項２３記載の医薬組成物：
細胞増殖性疾患（新生物、メラノーマ、肺、結腸直腸、乳房、膵、頭部および頸部の腫瘍並びに他の固形腫瘍）、骨髄増殖性疾患（例えば白血病、非ホジキンリンパ腫）、白血球減少症、血小板減少症、血管形成疾患、カポジ肉腫、自己免疫／炎症性疾患（アレルギー、炎症性腸疾患、関節炎、乾癬および気道の炎症、喘息および器官の移植拒絶を含む）、心脈管系疾患（高血圧、浮腫、アンギナ、アテローム性硬化症、血栓症、敗血症、ショック、再灌流障害、心不整脈および虚血を含む）、神経学的疾患（中枢神経系疾患、アルツハイマー病、脳損傷、脳卒中、筋萎縮性側索硬化症、不安、抑うつおよび痛みを含む）、発達障害、代謝性障害（真性糖尿病、骨粗しょう症、脂質代謝障害、甲状腺機能亢進、上皮小体機能亢進、高カルシウム血症、高コレステロール血症、高脂血症および肥満を含む）、腎疾患（糸球体腎炎、腎血管性高血圧を含む）、皮膚疾患（アクネ、湿疹および創傷治癒を含む）、加齢の負の作用、エイズ、感染（ウイルス感染、細菌感染、真菌感染および寄生虫感染を含む）、並びに他の病的状態（特に核内ホルモンレセプターが関与するもの）。
【請求項２６】
疾患の治療および／または診断において有効な化合物の特定方法であって、前記方法が、請求項１−７のいずれか１項に記載のポリペプチド、請求項８−１１のいずれか１項に記載の核酸分子、または請求項１３に記載の宿主細胞を、前記ポリペプチドまたは核酸に対する結合親和性を保有すると思われる１つまたは２つ以上の化合物と接触させ、さらに前記核酸分子またはポリペプチドと特異的に結合する化合物を選別することを含む前記有効な化合物の特定方法。
【請求項２７】
ストリンジェントな条件下で請求項８−１１のいずれか１項に記載の核酸分子とハイブリダイズする核酸プローブを含む第一の容器；前記核酸分子の増幅に有用なプライマーを含む第二の容器；および疾患の診断を容易にすることを目的とする前記プローブおよびプライマーの使用のための指示書を含む、疾患の診断に有用なキット。
【請求項２８】
ハイブリダイズしていないＲＮＡを消化するための薬剤を保持する第三の容器をさらに含む請求項２７のキット。
【請求項２９】
核酸分子のアレイを含むキットであって、前記核酸分子の少なくとも一つが請求項８−１１のいずれか１項に記載の核酸分子である前記キット。
【請求項３０】
請求項１−７のいずれか1項に記載のポリペプチドと結合する１つまたは２つ以上の抗体；および前記抗体と前記ポリペプチドとの間の結合反応の検出に有用な試薬を含むキット。
【請求項３１】
請求項１−７のいずれか１項に記載のポリペプチドをより高レベルまたはより低レベルで発現するように、または前記ポリペプチドを発現しないように形質転換したトランスジェニックまたはノックアウト非ヒト動物。
【請求項３２】
請求項３１に記載の非ヒトトランスジェニック動物を候補化合物と接触させ、さらに前記動物の疾患に対する前記化合物の影響を決定することによって、疾患の治療に有効な化合物をスクリーニングする方法。